(57)【要約】【課題】履物及びそのニット部品を提供する。【解決手段】本発明の履物及びそのニット部品は、履物が甲革及び甲革に固定される本底構造を備える。甲革には足を入れるための履き区域が定義される。甲革はニット部品により形成されると共に複数の甲革区域を含む。ニット部品は少なくとも１本の紡績糸が編まれることにより形成される２次元構造であり、且つ複数のニット区域を備える。複数のニット区域は複数の甲革区域にそれぞれ対応させ、且つ複数の甲革区域と複数のニット区域との間には対応する伸張比をそれぞれ有する。複数のニット区域中の各ニット区域の編み目数はそれに対応する伸張比と正比例し、足が履き区域内に入れられると、複数の甲革区域中の少なくとも１本の紡績糸により形成される縦糸及び横糸が実質的に直交する。【選択図】図１Ａ
2018051312.tif 000002
【特許請求の範囲】
【請求項１】
少なくとも１本の紡績糸が編まれることにより形成される２次元構造であり、甲革の形成に用いられ、前記甲革は足を入れるための履き区域が定義され、且つ複数の甲革区域を含むニット部品であって、
前記複数の甲革区域にそれぞれ対応させる複数のニット区域であって、且つ前記複数のニット区域と前記複数の甲革区域との間には対応する伸張比をそれぞれ有し、前記複数のニット区域中の各ニット区域及び編み目数はそれに対応する前記伸張比と正比例し、且つ前記足が前記履き区域内に入れられると、前記複数の甲革区域中の前記少なくとも１本の紡績糸により形成される縦糸及び横糸が実質的に直交することを含むニット部品。
【請求項２】
前記伸張比は、前記足が前記履き区域内に入れられた際の前記複数の甲革区域と対応する前記複数のニット区域との長さの比率である、請求項１に記載のニット部品。
【請求項３】
前記複数のニット区域はかかと区域及び裏革区域を備え、前記足のかかと及び足の甲にそれぞれ対応させ、前記かかと区域及び前記裏革区域を形成させる前記少なくとも１本の紡績糸として弾性糸を含み、前記かかと区域及び前記裏革区域の弾性係数は実質的に他のニット区域よりも大きい、請求項１に記載のニット部品。
【請求項４】
少なくとも１本の紡績糸が編まれることにより形成され、甲革の形成に用いられ、前記甲革には足が入れられる履き区域が定義されるニット部品であって、
前記足の異なる部位にそれぞれ対応させ、かかと区域及び裏革区域を含み、前記足のかかと及び足の甲にそれぞれ対応させ、前記かかと区域及び前記裏革区域を形成させる前記少なくとも１本の紡績糸として弾性糸を含み、前記かかと区域及び前記裏革区域の弾性係数は実質的に他のニット区域よりも大きい複数のニット区域を備えるニット部品。
【請求項５】
前記複数のニット区域は羽根区域を更に備え、前記羽根区域は前記足の足側に対応させ、前記弾性糸は前記裏革区域から前記羽根区域まで延伸される、請求項３または４に記載のニット部品。
【請求項６】
前記かかと区域を形成させる前記少なくとも１本の紡績糸として耐摩耗糸及び構造糸を更に含み、且つ前記構造糸は前記弾性糸と比べて太いまたは硬い、請求項３または４に記載のニット部品。
【請求項７】
前記複数のニット区域は履き口区域及びつま先区域を備え、前記履き口区域には履き口が定義され、前記足が前記履き区域に入れられ、前記つま先区域は前記足のつま先に対応させ、前記履き口区域を形成させる前記少なくとも１本の紡績糸として耐摩耗糸及び弾性糸を含み、且つ前記つま先区域を形成させる前記少なくとも１本の紡績糸として耐摩耗糸及び構造糸を含む、請求項１または４に記載のニット部品。
【請求項８】
足を入れるための履き区域が定義される甲革と、
前記甲革に固定される本底構造とを備え、
前記甲革はニット部品で形成されると共に複数の甲革区域を含み、前記ニット部品は少なくとも１本の紡績糸が編まれることにより形成される２次元構造であり、且つ複数のニット区域を含み、前記複数のニット区域は前記複数の甲革区域にそれぞれ対応させ、且つ前記複数の甲革区域と前記複数のニット区域との間には対応する伸張比をそれぞれ有し、前記複数のニット区域中の各ニット区域の編み目数はそれに対応する前記伸張比と正比例し、前記足が前記履き区域内に入れられると、前記複数の甲革区域中の前記少なくとも１本の紡績糸により形成される縦糸及び横糸が実質的に直交する履物。
【請求項９】
前記伸張比は、前記足が前記履き区域内に入れられた際の前記複数の甲革区域と対応する前記複数のニット区域との長さの比率である、請求項８に記載の履物。
【請求項１０】
前記複数のニット区域はかかと区域及び裏革区域を備え、前記足のかかと及び足の甲にそれぞれ対応させ、前記かかと区域及び前記裏革区域を形成させる前記少なくとも１本の紡績糸として弾性糸を含み、前記かかと区域及び前記裏革区域の弾性係数は実質的に他のニット区域より大きい、請求項８に記載の履物。
【請求項１１】
足を入れるための履き区域が定義される甲革と、
前記甲革に固定される本底構造とを備え、
前記甲革はニット部品により形成され、前記ニット部品は少なくとも１本の紡績糸が編まれることにより形成されると共に複数のニット区域を含み、前記複数のニット区域は前記足の異なる部位にそれぞれ対応させ、前記複数のニット区域はかかと区域及び裏革区域を含み、前記足のかかと及び足の甲にそれぞれ対応させ、前記かかと区域及び前記裏革区域を形成させる前記少なくとも１本の紡績糸として弾性糸を含み、前記かかと区域及び前記裏革区域の弾性係数は実質的に他のニット区域より大きい履物。
【請求項１２】
前記複数のニット区域は羽根区域を更に備え、前記羽根区域は前記足の足側に対応させ、前記弾性糸は前記裏革区域から前記羽根区域まで延伸される、請求項１０または１１に記載の履物。
【請求項１３】
前記かかと区域を形成させる前記少なくとも１本の紡績糸として耐摩耗糸及び構造糸を更に含み、且つ前記構造糸は前記弾性糸と比べて太いまたは硬い、請求項１０または１１に記載の履物。
【請求項１４】
前記複数のニット区域は履き口区域及びつま先区域を備え、前記履き口区域には履き口が定義され、前記足が前記履き区域に入れられ、前記つま先区域は前記足のつま先に対応させ、前記履き口区域を形成させる前記少なくとも１本の紡績糸として耐摩耗糸及び弾性糸を含み、且つ前記つま先区域を形成させる前記少なくとも１本の紡績糸として耐摩耗糸及び構造糸を含む、請求項８または１１に記載の履物。
【発明の詳細な説明】
【技術分野】
【０００１】
本発明は、履物及びそのニット部品に関し、更に詳しくは、自然な履き心地の履物及びそのニット部品に関する。
【背景技術】
【０００２】
一般的な靴は甲革及び靴底で構成される。甲革は通常履く者の足に直接接触させて被覆及び保護作用を提供する。靴底は甲革底部に固定され、履く者の足と地面との緩衝作用を提供し、足に対する反作用力の応力を軽減させる。甲革は通常、天然皮革、合成皮革、ポリマーシート、繊維等の様々な材料で製造される。ニット甲革は通気性及び快適性に優れ、且つ製造コストが低いという長所を有するため、ニット靴が急速に発展している。
【発明の概要】
【発明が解決しようとする課題】
【０００３】
しかしながら、ニット甲革は一般的に非常に柔軟で定形しにくく、通常は別途支持物により支持させるか、別途定形技術を使用して甲革を成形しなければならない。別途支持物を使用してニット甲革を支持する場合、製造工程が複雑になり、材料コストが高騰し、外観設計が制限を受けるという問題が存在する。定形技術を使用する場合、通常甲革の縫製に熱可塑性糸が使用される。熱可塑性材料は加熱されると溶け、冷却される硬化するという特性があり、甲革全体が凝固されて定形されるため、ニット甲革の柔軟性及び快適性が低下した。
【０００４】
そこで、本発明者は上記の欠点が改善可能と考え、鋭意検討を重ねた結果、合理的設計で上記の課題を効果的に改善する本発明の提案に到った。
【０００５】
本発明は、このような従来の問題に鑑みてなされたものである。上記課題解決のため、本発明は、履物及びそのニット部品を提供することを主目的とする。
【０００６】
２次元構造が伸張されて３次元構造に形成される各区域の伸張比に基づいて、対応する編み目数でニット部品の異なる区域が形成され、２次元ニット部品に３次元ニット甲革が形成されると、自然な立体状態となる。また、これにより形成されるニット履物に足が入れられると、ニット甲革の異なる区域中の縦糸及び横糸が実質的に直交し、ニット甲革が自然に足に貼り付き、靴の快適性及び製造可能性を高める。
【課題を解決するための手段】
【０００７】
上述した課題を解決し、目的を達成するために、本発明に係る履物は、甲革及び甲革に固定される本底構造を備える。甲革には足を入れるための履き区域が定義される。甲革はニット部品により形成されると共に複数の甲革区域を備え、ニット部品は少なくとも１本の紡績糸ニットにより形成される２次元構造であり、且つ複数のニット区域を含む。複数のニット区域は複数の甲革区域にそれぞれ対応させ、且つ複数の甲革区域と複数のニット区域との間には対応する伸張比をそれぞれ有する。複数のニット区域中の各ニット区域の編み目数はそれに対応する伸張比と正比例し、履き区域内に足が入れられると、複数の甲革区域中の少なくとも１本の紡績糸により形成される縦糸及び横糸が実質的に直交する。
【０００８】
ある実施形態では、伸張比は、履き区域内に足が入れられる際の甲革区域と対応するニット区域との長さの比率である。
【０００９】
さらに、本発明は異なるニット区域が伸張比に対応する編み目数を有することにより、ニット甲革が自然な立体貼り付き効果を有するほか、本発明は異なるニット区域に弾性係数、構造に対する要求、耐摩耗性等に対する要求に対応する特性の糸が使用されるため、ニット甲革が自然な立体効果を有する。
【００１０】
また、上述の発明の目的に対して、本発明は履物を提供し、甲革及び甲革に固定される本底構造を備える。甲革には足を入れるための履き区域が定義される。甲革はニット部品で形成され、ニット部品は少なくとも１本の紡績糸ニットにより形成されると共に複数のニット区域を備える。複数のニット区域は足の異なる部位にそれぞれ対応させ、複数のニット区域はかかと区域及び裏革区域を含み、足のかかと及び足の甲にそれぞれ対応させる。かかと区域及び裏革区域を形成させる少なくとも１本の紡績糸として弾性糸を含み、かかと区域及び裏革区域の弾性係数は実質的に他のニット区域より大きい。
【００１１】
ある実施形態では、複数のニット区域は羽根区域を更に備える。羽根区域は足の足側に対応させ、弾性糸は裏革区域から羽根区域まで延伸される。
【００１２】
ある実施形態では、かかと区域を形成させる少なくとも１本の紡績糸として耐摩耗糸及び構造糸を更に含み、且つ構造糸は弾性糸に比べて太いまたは硬い。
【００１３】
ある実施形態では、複数のニット区域は履き口区域及びつま先区域を備え、履き口区域には履き口が定義され、足が履き区域に入れられる。つま先区域は足のつま先に対応させる。履き口区域を形成させる少なくとも１本の紡績糸として耐摩耗糸及び弾性糸を含み、且つつま先区域を形成させる少なくとも１本の紡績糸として耐摩耗糸及び構造糸を含む。
【発明の効果】
【００１４】
本発明に係る履物はニット部品の異なる区域の編み目数及び／または糸特性を改変させることにより、ニット甲革が自然な立体効果を有し、且つ甲革が自然と足に貼り付き、快適性及び製造可能性を高める。
【図面の簡単な説明】
【００１５】
【図１Ａ】本発明の一実施形態に係る履物を示す概略図である。
【図１Ｂ】本発明の一実施形態に係る甲革を示す概略図である。
【図２】本発明の一実施形態に係るニット部材を示す概略図である。
【図３Ａ】本発明の一実施形態に係るニット部材の複数区域を示す概略図である。
【図３Ｂ】本発明の一実施形態に係るニット部材の複数区域を示す一部の拡大図である。
【図４】本発明の他の実施形態に係るニット部材を示す概略図である。
【図５Ａ】本発明の他の実施形態に係る履物を示す概略図である。
【図５Ｂ】本発明の他の実施形態に係る履物を示す概略図である。
【発明を実施するための形態】
【００１６】
当分野における一般的な技術者が本発明を容易に理解し実現させるため、以下、図面を参照して本発明に係る履物及びそのニット部品の実施形態について説明する。尚、以下に説明する実施の形態は、特許請求の範囲に記載された本発明の内容を限定するものではない。また、以下に説明される構成の全てが、本発明の必須要件であるとは限らない。
【００１７】
まず、図１Ａに示されるように、本発明の履物１は、甲革１０及び甲革１０に固定される本底構造２０を備える。甲革１０には足を入れるための履き区域１２が定義される。本底構造２０は甲革１０の底部に接合され、且つ例えばインソール及び本底等を含み、履く者の足が履き区域１２に入れられて地面に接触する際の着地性及び歩行時の快適性を高める。甲革１０はニット部品(例えば図２の１００参照)で形成され、且つ甲革１０は複数の甲革区域(例えば１０ａ、１０ｂ、１０ｃ)を備える。また、図２に示されるように、ニット部品１００は少なくとも１本の紡績糸ニットで形成される２次元構造であり、且つニット部品１００は複数のニット区域(例えば１００ａ、１００ｂ、１００ｃ)を備え、複数のニット区域１００ａ、１００ｂ、１００ｃは複数の甲革区域１０ａ、１０ｂ、１０ｃにそれぞれ対応させる。複数の甲革区域１０ａ、１０ｂ、１０ｃと複数のニット区域１００ａ、１００ｂ、１００ｃとの間には対応する伸張比をそれぞれ有する。複数のニット区域１００ａ、１００ｂ、１００ｃ中の各ニット区域の編み目数はそれに対応する伸張比と正比例し、履き区域１２内に足が入れられると、複数の甲革区域１０ａ、１０ｂ、１０ｃ中の少なくとも１本の紡績糸により形成される縦糸及び横糸が実質的に直交する。
【００１８】
具体的には、図１Ｂに示されるように、履物１のデザインに基づいて、足(例えば靴の製造に使用される足型または使用者の足)が履き区域１２に入れられた後の３次元立体甲革１０が複数の甲革区域１０ａ、１０ｂ、１０ｃに区画され、且つ複数の甲革区域１０ａ、１０ｂ、１０ｃは足の形状に対応させるように通常は弧面形状を呈する。３次元立体甲革１０の弧面形状の複数の甲革区域１０ａ、１０ｂ、１０ｃが２次元ニット部品１００に投影され、ニット部品１００が対応する複数の２次元ニット区域１００ａ、１００ｂ、１００ｃを有し、各ニット区域１００ａ、１００ｂ、１００ｃに対する複数の甲革区域１０ａ、１０ｂ、１０ｃとの伸張比が得られる。ある実施形態において、伸張比は、履き区域１２内に足が入れられる際の甲革区域１０ａ、１０ｂ、１０ｃと対応するニット区域１００ａ、１００ｂ、１００ｃとの長さの比率である。例えば、甲革区域１０ａ、１０ｂ、１０ｃの長さがそれぞれがＬ１、Ｌ２、Ｌ３であり、且つニット区域１００ａ、１００ｂ、１００ｃの長さがそれぞれＬ１'、Ｌ２'、Ｌ３'である。よって、甲革区域１０ａの伸張比はＬ１／Ｌ１'となり、甲革区域１０ｂの伸張比はＬ２／Ｌ２'となり、甲革区域１０ｃの伸張比はＬ３／Ｌ３'となる。
【００１９】
すなわち、本発明は履物１の鍵となるモールド線及びサイズ制御線(即ち、甲革区域１０ａ、１０ｂ、１０ｃの周囲の３本の線Ｌ１、Ｌ２、Ｌ３等の長い線に対して伸張する)を特性曲線とし、特性曲線が２次元ニット部品１００の甲革の展開図に投影され、対応するニット区域１００ａ、１００ｂ、１００ｃ及び対応する線Ｌ１'、Ｌ２'、Ｌ３'が得られる。その後、実際の３次元特性曲線Ｌ１、Ｌ２、Ｌ３のサイズが測定され、２次元ニット部品の甲革の展開図の対応する線Ｌ１'、Ｌ２'、Ｌ３'の長さと比較され、各区域の伸張比が算出される。次いで、各ニット区域１００ａ、１００ｂ、１００ｃの計算により得された伸張比に基づいて、各ニット区域１００ａ、１００ｂ、１００ｃの縫製工程を行う。例えば、一般的な甲革は１センチメートルあたり１４針縫うのを例とし、各ニット区域１００ａ、１００ｂ、１００ｃの編み目数が伸張比と正比例する。すなわち、各ニット区域１００ａ、１００ｂ、１００ｃの編み目数は１４乗に等しい伸張比とする(例えば、編み目数=１４×Ｌ１／Ｌ１'、Ｌ２／Ｌ２'或いはＬ３／Ｌ３')。
【００２０】
なお、図３Ａ及び図３Ｂに示されるように、類似の方式により、甲革１０を複数の格子に分割させて２つの緯度上で計算を行い、ニット部品１００が複数の格子状のニット区域１０１を含む展開図を獲得させる。すなわち、２次元ニット部品１００の展開図を縫い目数分布図(すなわち、縫製の密度の組み合わせ図)に変換される。具体的には、内挿方式により各格子１０１の４つの角に対応する縫い目数を獲得させる。これにより、ニット部品１００は上述方式により計算で得られた糸のレイアウトに基づいて、少なくとも１本の紡績糸で異なる区域の縫製を行い、２次元ニット部品１００により形成される３次元甲革１０が履く者の足や足型を被覆させた後、複数の甲革区域１０ａ、１０ｂ、１０ｃ中の少なくとも１本の紡績糸で形成される縦糸及び横糸系が実質的に直交する。甲革１０が自然に伸張された立体状態を有し、履く者の足や足型に自然に貼り付けられ、履物１の快適性及び製造可能性が高まる。ちなみに、本発明の"縦糸及び横糸が実質的に直交する"とは、外観の視覚上縦糸及び横糸が直交することを意味する。
【００２１】
さらに、上述の方式により、各格子１０１の４つの角に対応する縫い目数が算出された後、縫い目数の差異に基づいて応力及び歪みの計算を行い、どの格子の縫い目数の差異が大きく、２次元から３次元への大きな変異を発生させるかが決定される。具体的には、各格子の４つの角の縫い目数の差異により有限要素法に類似する計算(すなわち、応力及び歪みの計算)を行い、どの格子の縫い目数の差異が大きく、２次元から３次元への大きな変異を発生させるかが決定される。例えば、図３Ｂの格子１０２に示されるように、格子１０２は縫い目数の差異が大きく、このため格子１０２中の糸として弾性糸(例えばライクラファイバー)が採用されるのが好ましく、効果的に変形するようにするが、但しこれに限定されない。
【００２２】
また、図２に示されるように、ニット部品１００の複数のニット区域は裏革区域１０３と、かかと区域１０４と、履き口区域１０５と、つま先区域１０６と、羽根区域１０７とを備える。裏革区域１０３は足の甲に対応させ、かかと区域１０４は足のかかとに対応させ、履き口区域１０５には履き口が定義され、甲革１０の履き区域１２に足が入れられる。つま先区域１０６は足のつま先に対応させ、羽根区域１０７は足の足側に対応させる。羽根区域１０７は内羽根区及び外羽根区を含み、内羽根区は足の内側(すなわち、もう一方の足に対向する側)に対応させ、外羽根区は足の外側(すなわち、もう一方の足に対向しない側)に対応させる。
【００２３】
図４に示されるように、本発明は人間工学に基づいて甲革区域に必要な弾性糸係数が定義され、ニット部品１００'の弾性係数の分布が決定される。人間工学に基づいて足のどの部位が甲革に容易に接触するか決定され、これらの接触部位には大きな支持力が必要になる。弾性係数が大きいか弾性回復力が大きければ強い支持感覚が発生する。また、ニット部品１００'全体の布面の弾性係数は糸の弾性係数及び糸の密度の組み合わせに基づいて決定される。人間工学の標準布面の弾性係数に基づいた設定により、各ニット区域(例えば格子１０１)に選ばれた糸の弾性係数が逆算で導き出される。例えば、格子１０１ａ、１０１ｂ、１０１ｃ、１０１ｄ、１０１ｅ、１０１ｆの計算により得られた弾性係数はそれぞれ１０、０．５、７、０．５、９、１２である。ある実施形態において、本発明には異なる糸の組み合わせ及び撚り糸技術が使用され、異なる太さ及び成分の糸が編まれ、各ニット区域の弾性係数が相違する。また、糸の選択以外、縫製の厚さや方向が改変されることにより必要な弾性係数が達成される。ちなみに、ある実施形態において、ニット区域の弾性係数の要求は特定の方向への要求が高く、他の方向への要求が低く、横方向または縦方向の糸の差異により異なる弾性係数が生じ、要求を満たす効果を達成させる。
【００２４】
本実施形態において、縫製の密度及び弾性係数が高い垂直方向の糸として、好ましくは太いまたは硬い糸が選択され、或いは弾性の無い剛性糸が選択されて構造の支持に使用される(構造糸という)。縫製の密度較が高い区域及び弾性係数が求められる縫製方向に垂直な糸として構造糸が選択され、前記区域が好ましい支持力を有し、所定の方向に隆起し、しわになるのを回避させる。すなわち、異なる区域の糸の特性の変化により自然な立体形状を有する。
【００２５】
すなわち、本発明は異なるニット区域に伸張比に対応する編み目数を有することによりニット甲革が自然な立体貼り付き効果を有するほか、異なるニット区域に弾性係数、構造に対する要求、耐摩耗性等の要求に対応する特性の糸が使用されることにより、ニット甲革が自然な立体効果を有する。なお、図５Ａに示されるように、履物１'は甲革１０'及び甲革１０'に固定される本底構造２０を備える。甲革１０'には足２を入れるための履き区域１２が定義される。本実施形態において、甲革１０'はニット部品(例えば図２の１００)により形成され、ニット部品１００は少なくとも１本の紡績糸ニットにより形成されると共に複数のニット区域(例えば１０３〜１０７)を含み、複数のニット区域は足の異なる部分(上述のように)にそれぞれ対応させる。かかと区域１０４及び裏革区域１０３を形成させる少なくとも１本の紡績糸として弾性糸を含み、かかと区域１０４及び裏革区域１０３の弾性係数は実質的に他のニット区域より大きい。このため、甲革１０'が斜め方向(すなわち、甲からかかとへの方向)に足２に向けて弾性によりうねり、立体貼り付き効果を生じる。
【００２６】
さらに、図５Ｂに示されるように、好ましくは弾性糸が裏革区域１０３から羽根区域１０７まで延伸され、これにより裏革区域１０３及び羽根区域１０７(内羽根区及び外羽根区を含む)に環状の弾性区域が形成される。また、かかと区域１０４の弾性区域に組み合わせられ、甲革１０'が甲、足側及びかかとに対して好ましい支持効果及び貼り付き度を提供する。
【００２７】
本実施形態において、かかと区域１０４を形成させる少なくとも１本の紡績糸として好ましくは耐摩耗糸及び構造糸を更に含み、且つ構造糸は弾性糸に比べて太いまたは硬く、かかと区域１０４が弾性を有するのみならず、耐摩耗性及び構造性を更に有する。履き口区域１０５を形成させる少なくとも１本の紡績糸として好ましくは耐摩耗糸及び弾性糸を含み、履き口区域１０５が着脱時に耐摩耗性及び弾性を有する。つま先区域１０６を形成させる少なくとも１本の紡績糸として好ましくは耐摩耗糸及び構造糸を含み、つま先区域１０５が耐摩耗性及び構造性を有する。
【００２８】
また、ニット部品１００の高い構造支持性が必要な区域(例えば、かかと区域１０４、つま先区域１０６)は部分的に熱可塑性糸が構造糸として使用され、形成される甲革１０'が部分的に強化された支持効果を有するが、但し全体としては相当な柔軟性を維持させる。
【００２９】
従来の技術と比較すると、本発明に係る履物及びそのニット部品はニット部品の異なる区域の編み目数が改変され、及び／または異なる区域に弾性の要求に基づいて異なる特性の糸が採用される。ニット甲革が自然な立体効果を有し、且つ甲革が足に自然に貼り付き、快適性及び製造可能性が高まる。
【００３０】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の技術的範囲に含まれるものと解釈すべきである。
【符号の説明】
【００３１】
１  履物
１'  履物
２  足
１０  甲革
１０'甲革
１０ａ  甲革区域
１０ｂ  甲革区域
１０ｃ  甲革区域
１２  履き区域
２０  本底構造
１００  ニット部品
１００'  ニット部品
１００ａ  ニット区域
１００ｂ  ニット区域    
１００ｃ  ニット区域
１０１  格子
１０１ａ  格子
１０１ｂ  格子
１０１ｃ  格子
１０１ｄ  格子
１０１ｅ  格子
１０１ｆ  格子
１０２  格子
１０３  裏革区域
１０４  かかと区域
１０５  履き口区域
１０６  つま先区域
１０７  羽根区域
Ｌ１  甲革区域長さ
Ｌ２  甲革区域長さ
Ｌ３  甲革区域長さ
Ｌ１'  ニット区域長さ
Ｌ２'  ニット区域長さ
Ｌ３'  ニット区域長さ
【図１Ａ】
2018051312.tif 000003
【図１Ｂ】
2018051312.tif 000004
【図２】
2018051312.tif 000005
【図３Ａ】
2018051312.tif 000006
【図３Ｂ】
2018051312.tif 000007
【図４】
2018051312.tif 000008
【図５Ａ】
2018051312.tif 000009
【図５Ｂ】
2018051312.tif 000010